(57)【要約】      （修正有）【課題】製造コストの増大を抑制しながら、軸部材のうちで長手方向に隣り合う攪拌羽根の間の部分に被処理材が付着するのを低減できる真空乾燥機を提供する。【解決手段】真空乾燥機は、円筒型の真空容器１２と、真空容器１２の中心軸の位置に配置され、真空容器１２に対して相対回転可能である軸部材２０と、軸部材２０に固定された複数の攪拌羽根３０と、真空容器１２の内部に収容され、相対回転に伴って軸部材２０の外側を周回する破砕棒１５と、を備える。軸部材の外面２１ａの横断面形状は、軸部材のうちで真空容器１２の内部に位置する主部２１で多角形であり、軸部材２０は、外面２１ａを覆うフッ素樹脂製の外板２３を備える。【選択図】図２Ｂ
0003205349.tif 000002
【実用新案登録請求の範囲】
【請求項１】
真空下で被処理材を加熱して乾燥させる真空乾燥機であって、
当該真空乾燥機は、
円筒型の真空容器と、
前記真空容器の中心軸の位置に配置され、前記真空容器に対して相対回転可能である軸部材と、
前記軸部材に固定された複数の攪拌羽根と、
前記真空容器の内部に収容され、前記相対回転に伴って前記軸部材の外側を周回する破砕棒と、を備え、
前記軸部材の外面の横断面形状は、前記軸部材のうちの前記真空容器の内部に位置する主部で多角形であり、
前記軸部材は、前記外面を覆うフッ素樹脂製の外板を備える、真空乾燥機。
【請求項２】
請求項１に記載の真空乾燥機であって、
前記外板は、前記軸部材に着脱可能に取り付けられる、真空乾燥機。
【請求項３】
請求項１または２に記載の真空乾燥機であって、
前記外板は、前記軸部材の長手方向で分割され、複数の板によって構成される、真空乾燥機。
【請求項４】
請求項１〜３のいずれか１項に記載の真空乾燥機であって、
前記攪拌羽根の根元は、前記軸部材の横断面形状の多角形のうちの頂点に位置する、真空乾燥機。
【請求項５】
請求項１〜４のいずれか１項に記載の真空乾燥機であって、
前記攪拌羽根は、箱形であり、前記真空容器の径方向に沿って伸び、側面にフッ素樹脂製の外板を備える、真空乾燥機。
【請求項６】
請求項５に記載の真空乾燥機であって、
前記箱形の攪拌羽根は、前記径方向と垂直な断面における形状が、平行四辺形状であり、
前記平行四辺形が有する２組の対辺のうち、一方の対辺が前記中心軸に対して角度を有し、他方の対辺が前記中心軸と平行である、真空乾燥機。
【請求項７】
請求項１〜６のいずれか１項に記載の真空乾燥機であって、
前記主部の外面の横断面形状は、正四角形である、真空乾燥機。
【考案の詳細な説明】
【技術分野】
【０００１】
本考案は、真空下で被処理材を加熱して乾燥させる真空乾燥機に関する。
【背景技術】
【０００２】
医薬品、化学工業薬品、樹脂または食品等の製造過程で被処理材を乾燥させる際に真空乾燥機が用いられる。被処理材は、例えば、泥状、塊状、粉粒状または液状である。ここで、「泥状の被処理材」とは、液と塊との中間の状態であり、かつ、流動性がある被処理材を意味する。また、「塊状の被処理材」とは、流動性がなく、不定形の被処理材を意味し、例えば、脱水ケーキが該当する。「粉粒状の被処理材」とは、１つの塊のサイズが１０ｍｍ以下程度である被処理材を意味する。「液状の被処理材」とは、溶液や混濁液といった粘度が低く、流動性が大きい液状の被処理材を意味する。これらの被処理材を乾燥させる際に用いられる真空乾燥機には、円筒型の真空容器を備える真空乾燥機がある。
【０００３】
図１Ａおよび図１Ｂは、円筒型の真空容器を備える真空乾燥機を示す模式図である。そのうちの図１Ａは縦断面図、図１Ｂは図１ＡのＩＢ−ＩＢ断面図である。図１Ａおよび図１Ｂに示す真空乾燥機１０は、真空容器１２と、軸部材１３と、攪拌羽根１４と、破砕棒１５とを備える。図１Ｂには、ハッチングを施した矢印で軸部材１３の回転方向を示す。なお、図面の理解を容易にするため、図１Ｂでは、図１Ａと比べ、軸部材１３の回転角度を異ならせるとともに、図１Ａでは、４本の破砕棒１５のうちの１本のみを示す。
【０００４】
真空容器１２は、円筒型の密閉容器であり、中心軸１２ｄを水平にした状態でフレーム１１に固定される。この真空容器１２の上部には、被処理材を投入するための投入口１２ａが設けられ、その投入口１２ａは投入口用蓋（図示なし）で閉塞可能である。また、真空容器１２の下部には、乾燥処理が施された被処理材を排出するための排出口１２ｂが設けられ、その排出口１２ｂは排出口用蓋（図示なし）で閉塞可能である。
【０００５】
真空容器１２の上部には、吸引口１２ｃが設けられる。その吸引口１２ｃは、真空ポンプ（図示なし）に配管を介して接続される。このような吸引口１２ｃおよび真空ポンプにより、真空容器１２の内部の空気が排出され、真空容器１２の内部が真空となる。吸引口１２ｃと真空ポンプの間には、必要に応じてバグフィルタ（図示なし）が設けられる。また、吸引口１２ｃと真空ポンプ（図示なし）の間には、必要に応じてコンデンサ（復水器・図示なし）も設けられる。
【０００６】
真空容器１２の内部に収容された被処理材を加熱するため、真空容器の周壁部１２ｅは、熱媒体（例えば温水または蒸気）が流通する構造（図示なし）を有する。この構造は、例えば、真空容器１２を、容器本体と、その外周を覆う加熱ジャケットとによって構成すれば、実現できる。このため、真空容器１２には流入口（図示なし）および流出口（図示なし）が設けられる。流入口には、熱媒体が熱媒体供給ラインから供給され、真空容器の周壁部１２ｅを流通した熱媒体は、流出口から熱媒体排出ラインに排出される。このため、被処理材は、真空容器の周壁部１２ｅからの熱伝導によって加熱される。
【０００７】
軸部材１３は、真空容器１２の中心軸１２ｄの位置に配置される。また、軸部材１３のうちで長手方向の一方の端部は回転可能に保持されるとともに、駆動装置（図示なし、例えばモーター）と歯車またはローラーチェーン等を介して連結される。このため、駆動装置の作動に伴い、軸部材１３は回転する。図１Ａおよび図１Ｂに示す真空乾燥機１０は、片持ち構造であるが、両持ち構造とする場合がある。この場合、軸部材１３の両方の端部が回転可能に保持される。
【０００８】
軸部材１３には、複数の攪拌羽根１４が固定（例えば溶接）される。攪拌羽根１４は、所定の角度間隔である複数の位置にそれぞれ設けられる。図１Ａおよび図１Ｂに示す真空乾燥機１０では、攪拌羽根１４が、９０°間隔である第１位置〜第４位置にそれぞれ設けられる。また、各位置に設けられた攪拌羽根１４は、軸部材１３の長手方向に所定の間隔で並べて配置される。
【０００９】
図１Ａおよび図１Ｂに示す攪拌羽根１４は、イカリ状である。その攪拌羽根１４は、羽根部１４ａと、柄部１４ｂとを有する（図１Ａ参照）。羽根部１４ａは、中心軸１２ｄに対して平行でなく、角度を有する。このため、軸部材２０の回転に伴い、攪拌羽根１４（羽根部１４ａ）によって被処理材は中心軸１２ｄに沿って移送される。その移送方向は、軸部材２０の回転方向を変更することにより、反転させることができる。なお、攪拌羽根１４には、パドル状またはリボン状の攪拌羽根も用いられる。
【００１０】
所定の角度間隔で隣り合う攪拌羽根１４の間には、ロッド状の破砕棒１５が、軸部材１３と平行な状態で配置される。破砕棒１５は、真空容器１２、軸部材１３および攪拌羽根１４のいずれにも固定されない。このため、破砕棒１５は、所定の角度間隔で隣り合う攪拌羽根１４および真空容器の周壁部１２ｅで仕切られた空間内を自由に移動可能である。このような破砕棒１５は、所定の角度間隔で隣り合う攪拌羽根１４によって移動範囲を制限されることから、軸部材１３の回転に伴って軸部材１３の外側を周回する。
【００１１】
被処理材の加熱を補助するため、必要に応じ、軸部材１３の内部は、熱媒体（例えば温水または蒸気）が流通する構造（図示なし）とされる。この場合、被処理材は、軸部材１３からの熱伝導によっても加熱される。
【００１２】
このような真空乾燥機１０は、真空攪拌乾燥機とも呼ばれる。乾燥処理では、例えば、投入口１２ａから真空容器１２内に被処理材を投入した後、真空容器１２の内部の空気を吸引口１２ｃから排出する。続いて、真空容器の周壁部１２ｅに熱媒体を給排することにより、真空容器の内部の被処理材を加熱する。
【００１３】
その際、軸部材１３の回転に伴い、攪拌羽根１４によって被処理材が攪拌、混合および粉砕される。このため、被処理材を均一に乾燥させることができる。また、被処理材が真空容器の周壁部に付着すると、真空容器の周壁部１２ｅによる加熱が阻害されるとともに、乾燥処理後に真空容器１２から排出される被処理材の質量（排出量）が低下する。攪拌羽根１４によって被処理材が真空容器の周壁部１２ｅに付着するのを低減できるので、真空容器の周壁部１２ｅによる加熱が阻害されるのを防止できる。また、被処理材の回収率（真空容器からの被処理材の排出量（ｋｇ）／真空容器への被処理材の投入量（ｋｇ））を向上できる。
【００１４】
ここで、乾燥処理では、被処理材が軸部材１３にも付着する。軸部材１３に被処理材が付着すると、被処理材の回収率が低下する。また、軸部材１３によって被処理材の加熱を補助する場合、軸部材１３による加熱が阻害される。
【００１５】
加えて、乾燥処理では、被処理材を構成する粒子が互いに結合することによって造粒され、粗大粒が発生する場合がある。この場合、乾燥に時間を要する。被処理材の軸部材１３への付着、および、粗大粒の発生は、破砕棒１５によって低減できる。その理由は、以下の通りである。
【００１６】
軸部材１３の回転に伴って破砕棒１５が軸部材１３の外側を一周する間に、破砕棒１５が軸部材１３および攪拌羽根１４に沿って移動する（図１Ｂの破線矢印参照）。この移動の際に、破砕棒１５が軸部材１３と衝突するので、被処理材が軸部材１３に付着するのを低減できる。また、衝突に伴い、粗大粒が破砕されることから、粗大粒の発生を低減できる。その結果、被処理材をより効率的に乾燥させることができるとともに、被処理材の回収率を向上できる。
【００１７】
真空乾燥機に関する技術は、例えば実用新案登録第３１８９４２８号（以下、「特許文献１」という）に記載される。特許文献１は、円筒型の真空容器を備える真空乾燥機を対象とする。この特許文献１では、真空容器の周壁部に温度センサを取り付けるとともに、温度センサの先端面を真空容器の内周面と面一に配置することが提案される。これにより、被処理材を攪拌、混合および破砕する攪拌羽根の機能を維持しながら、真空容器の内部に収容された被処理材の温度を正確に測定できるとしている。
【先行技術文献】
【特許文献】
【００１８】
【特許文献１】実用新案登録第３１８９４２８号
【考案の概要】
【考案が解決しようとする課題】
【００１９】
前記図１Ａおよび図１Ｂに示すような真空乾燥機１０は、破砕棒１５により、軸部材１３への被処理材の付着、および、粗大粒の発生を低減できる。しかしながら、破砕棒１５によって軸部材１３への被処理材の付着を低減する効果は、破砕棒１５の移動可能な範囲に限られる。前述の通り、攪拌羽根１４は、軸部材１３の長手方向に所定の間隔で並べて配置されるが、長手方向に隣り合う攪拌羽根１４の間の部分では、その部分に破砕棒１５が侵入できないことから、破砕棒１５によって軸部材１３への被処理材の付着を低減する効果が及ばない。このため、軸部材１３のうちで長手方向に隣り合う攪拌羽根１４の間の部分に、被処理材が付着する。これにより、被処理材の回収率が低下する。軸部材１３によって被処理材の加熱を補助する場合、軸部材１３による加熱が阻害される。
【００２０】
前述の特許文献１には、破砕棒について記載があるが、被処理材が軸部材のうちで長手方向に隣り合う攪拌羽根の間の部分に付着することについて、何ら検討されていない。
【００２１】
本考案の目的は、製造コストの増大を抑制しながら、軸部材のうちで長手方向に隣り合う攪拌羽根の間の部分に被処理材が付着するのを低減できる真空乾燥機を提供することである。
【課題を解決するための手段】
【００２２】
本考案の一実施形態による真空乾燥機は、真空下で被処理材を加熱して乾燥させる真空乾燥機であって、当該真空乾燥機は、円筒型の真空容器と、前記真空容器の中心軸の位置に配置され、前記真空容器に対して相対回転可能である軸部材と、前記軸部材に固定された複数の攪拌羽根と、前記真空容器の内部に収容され、前記相対回転に伴って前記軸部材の外側を周回する破砕棒と、を備える。前記軸部材の外面の横断面形状は、前記軸部材のうちの前記真空容器の内部に位置する主部で多角形であり、前記軸部材は、前記外面を覆うフッ素樹脂製の外板を備える。
【００２３】
前記外板は、前記軸部材に着脱可能に取り付けられるのが好ましい。また、前記外板は、前記軸部材の長手方向で分割され、複数の板によって構成されるのが好ましい。
【００２４】
前記攪拌羽根の根元は、前記軸部材の横断面形状の多角形のうちの頂点に位置するのが好ましい。
【００２５】
前記攪拌羽根は、箱形であり、前記真空容器の径方向に沿って伸び、側面にフッ素樹脂製の外板を備えるのが好ましい。前記攪拌羽根が箱形である場合、前記径方向と垂直な断面における形状が、平行四辺形状であり、前記平行四辺形が有する２組の対辺のうち、一方の対辺が前記中心軸に対して角度を有し、他方の対辺が前記中心軸と平行であるのがより好ましい。
【００２６】
前記主部の外面の横断面形状は、正四角形であるのが好ましい。
【考案の効果】
【００２７】
本考案の真空乾燥機では、軸部材の外面の横断面形状が、軸部材のうちで真空容器の内部に位置する主部で多角形である。また、軸部材は、その外面を覆うフッ素樹脂製の外板を備える。この場合、フッ素樹脂の非粘着性により、軸部材のうちで長手方向に隣り合う攪拌羽根の間の部分に被処理材が付着するのを低減できる。また、軸部材とともに攪拌羽根にライニングを施す必要、および、外板に曲率を付与する必要がなくなり、製造コストの増大を抑制できる。
【図面の簡単な説明】
【００２８】
【図１Ａ】図１Ａは、円筒型の真空容器を備える真空乾燥機を模式的に示す縦断面図である。
【図１Ｂ】図１Ｂは、図１ＡのＩＢ−ＩＢ断面図である。
【図２Ａ】図２Ａは、本実施形態の真空乾燥機の構成例を模式的に示す縦断面図である。
【図２Ｂ】図２Ｂは、図２ＡのIIＢ−IIＢ断面図である。
【図２Ｃ】図２Ｃは、図２ＡのＡ部の攪拌羽根を拡大した斜視図である。
【図３Ａ】図３Ａは、攪拌羽根の根元が多角形の辺に位置する場合の破砕棒の移動経路を模式的に示す横断面図である。
【図３Ｂ】図３Ｂは、攪拌羽根の根元が多角形の頂点に位置する場合の破砕棒の移動経路を模式的に示す横断面図である。
【図４Ａ】図４Ａは、箱形の攪拌羽根を備える真空乾燥機の構成例を模式的に示す縦断面図である。
【図４Ｂ】図４Ｂは、図４ＡのＢ部に示す攪拌羽根の拡大図である。
【図４Ｃ】図４Ｃは、図４Ａの攪拌羽根の断面図である。
【考案を実施するための形態】
【００２９】
以下に、本考案の真空乾燥機の一実施形態について、図面を参照しながら説明する。
【００３０】
図２Ａ〜図２Ｃは、本実施形態の真空乾燥機の構成例を示す模式図である。そのうちの図２Ａは縦断面図、図２Ｂは図２ＡのIIＢ−IIＢ断面図、図２Ｃは攪拌羽根を拡大した斜視図である。なお、図面の理解を容易にするため、図２Ｂでは、図２Ａと比べ、軸部材２０の回転角度を異ならせるとともに、図２Ａでは、破砕棒１５の図示を省略する。また、図２Ｃは、図２ＡのＡ部の攪拌羽根のみを拡大して示す。
【００３１】
図２Ａ〜図２Ｃに示す真空乾燥機１０は、前記図１Ａおよび図１Ｂに示す真空乾燥機において、軸部材２０および攪拌羽根３０を変更したものである。このため、図２Ａ〜図２Ｃに示す真空乾燥機１０は、前記図１Ａおよび図１Ｂに示す真空乾燥機１０と同様に、真空容器１２と、破砕棒１５とを備える。
【００３２】
図２Ａ〜図２Ｃに示す軸部材２０は、前記図１Ａおよび図１Ｂに示す軸部材１３と同様に、真空容器の中心軸１２ｄの位置に配置され、真空容器１２に対して相対回転可能である。
【００３３】
前記図１Ａおよび図１Ｂに示す軸部材１３の横断面形状は長手方向の全長に亘って円形である。これに対し、図２Ａ〜図２Ｃに示す軸部材２０は、主部２１と、端部２２を有する。軸部材の主部２１は、真空容器１２の内部に位置する。主部２１の外面２１ａの横断面形状は、多角形であり、より具体的には正四角形である。また、軸部材の端部２２の一部は、真空容器の端壁部１２ｆと相対し、残りは真空容器１２の外部に位置する。軸部材の端部２２の横断面形状は、円形である
【００３４】
前記図１Ａおよび図１Ｂに示す軸部材１３は、他の部材で覆われることなく、被処理材と直接接触する。これに対し、図２Ａ〜図２Ｃに示す軸部材２０は、フッ素樹脂製の外板２３を備え、その外板２３によって軸部材の主部の外面２１ａが覆われる。このため、被処理材は、軸部材の主部の外面２１ａと直接接触することなく、外板２３と接触する。
【００３５】
このように本実施形態の真空乾燥機では、軸部材２０の外面の横断面形状は、主部２１で多角形であり、軸部材２０は、その主部の外面２１ａを覆うフッ素樹脂製の外板２３を備える。この構成を採用する理由を以下に詳述する。
【００３６】
前記図１Ａおよび図１Ｂに示すような真空乾燥機１０において、被処理材が軸部材１３に付着するのを低減する方法として、ライニングによってフッ素樹脂の被膜を軸部材１３に形成する方法が考えられる。この場合、フッ素樹脂の非粘着性により、被処理材が軸部材１３に付着するのを低減でき、これに伴い、長手方向に隣り合う攪拌羽根１４の間の部分に被処理材が付着するのを低減できる。しかしながら、フッ素樹脂の被膜が剥離し、被処理材に混入することにより、コンタミネーションが引き起こされる。これは、攪拌羽根１４を除いて軸部材１３にフッ素樹脂の被膜を形成すると、攪拌羽根１４の根元の外周（被膜の縁）で被膜が剥離しやすくなるからである。
【００３７】
フッ素樹脂被膜の剥離を防止するには、軸部材１３とともに攪拌羽根１４にもフッ素樹脂の被膜を形成する必要がある。しかしながら、形状が複雑であることから、ライニングに要するコストが増大する。このため、軸部材１３とともに攪拌羽根１４にもフッ素樹脂の被膜を形成する方法は、不適である。
【００３８】
加えて、ライニングによって形成されるフッ素樹脂被膜の厚さは、１００〜２００μｍ程度であり、薄い。このため、破砕棒１５との衝突によってフッ素樹脂被膜が摩耗するのに対応するため、定期的にライニングによってフッ素樹脂被膜を再び形成する保守作業が必要となる。したがって、保守作業に伴う真空乾燥機の停止時間が増大する。
【００３９】
そこで、本実施形態の真空乾燥機は、軸部材１３をフッ素樹脂製の板（外板）で覆う。ここで、広く流通しているフッ素樹脂製の板は、厚み３〜１０ｍｍ程度であり、平面状である。前記図１Ａおよび図１Ｂに示す軸部材１３のように横断面形状が円形であると、例えば、フッ素樹脂製のブロックから、所定の曲率を有する板を切り出す必要がある。この場合、歩留りが低いことから、外板の製造コストが増大する。このため、本実施形態の真空乾燥機は、軸部材２０の横断面形状を多角形とする。
【００４０】
このような理由により、本実施形態の真空乾燥機は、前述の構成を採用する。本実施形態の真空乾燥機は、軸部材の主部の外面２１ａを覆うフッ素樹脂製の外板２３を備えることから、フッ素樹脂の非粘着性により、被処理材が軸部材２０に付着するのを低減できる。これに伴い、軸部材２０のうちで長手方向に隣り合う攪拌羽根３０の間の部分に被処理材が付着するのを低減できる。その結果、被処理材の回収率を向上できる。また、軸部材２０によって被処理材の加熱を補助する場合であっても、軸部材２０による加熱が阻害されるのを防止できる。
【００４１】
フッ素樹脂製の外板２３の厚さ（例えば３〜１０ｍｍ程度）は、ライニングによるフッ素樹脂被膜の厚さ（例えば１００〜２００μｍ程度）と比べ、厚い。このため、本実施形態の真空乾燥機では、剥離によるコンタミネーションの発生を防止できる。
【００４２】
前述の通り、フッ素樹脂製の外板２３の厚さは、ライニングによるフッ素樹脂被膜と比べ、厚いので、本実施形態の真空乾燥機では、フッ素樹脂製の外板２３の摩耗に対する保守作業について、保守間隔（保守作業から次の保守作業までの期間）を大幅に長くできる。このため、本実施形態の真空乾燥機は、ライニングによってフッ素樹脂被膜を形成する場合と比べ、真空乾燥機の稼働率を大幅に向上できる。
【００４３】
本実施形態の真空乾燥機は、軸部材の主部２１で外面２１ａの横断面形状を多角形とする。これにより、軸部材の主部の外面２１ａは複数の平面によって構成され、各平面を平面状の外板２３でそれぞれ覆うことができる。このため、軸部材とともに攪拌羽根にライニングを施す必要、および、ブロックから外板を切り出す必要がなくなり、製造コストの増大を抑制できる。
【００４４】
フッ素樹脂製の外板２３の摩耗に対する保守作業は、例えば、フッ素樹脂製の外板２３を有する軸部材２０を交換することによって行える。また、フッ素樹脂製の外板２３が着脱可能に軸部材２０に取り付けられていれば、その保守作業をフッ素樹脂製の外板２３のみを交換することによって行える。保守作業を容易にするとともに、保守作業に要するコストを低減する観点から、フッ素樹脂製の外板２３が着脱可能に軸部材２０に取り付けられるのが好ましい。外板２３を着脱可能に軸部材２０に取り付ける場合、例えば、外板２３を軸部材２０にねじ止めすればよい。
【００４５】
フッ素樹脂製の外板２３の摩耗に対する保守作業をさらに容易にするとともに、保守作業に要するコストをさらに低減する観点から、フッ素樹脂製の外板２３は、軸部材２０の長手方向で分割され、複数の板によって構成されるのが好ましい。図２Ａ〜図２Ｃに示す真空乾燥機では、軸部材の外面２１ａを構成する各平面が、６枚の板によって構成される外板２３で覆われる。外板２３を分割する位置は、保守作業の作業性等を考慮して適宜設定すればよい。
【００４６】
図２Ａ〜図２Ｃに示す真空乾燥機では、攪拌羽根３０の根元は、軸部材２０の横断面形状の多角形（四角形）のうちで頂点に位置する。本実施形態の真空乾燥機は、上述の構成に限定されることなく、攪拌羽根３０の根元が、横断面形状の多角形のうちで辺に位置してもよい。
【００４７】
図３Ａおよび図３Ｂは、破砕棒の移動経路を模式的に示す横断面図である。そのうちの図３Ａは、攪拌羽根の根元が多角形の辺に位置する場合、図３Ｂは攪拌羽根の根元が多角形の頂点に位置する場合を示す。図３Ａおよび図３Ｂには、破砕棒１５の移動経路を実線矢印で示す。攪拌羽根３０の根元が多角形の辺に位置する場合、図３Ａに示すように、軸部材２０に沿って移動する際に破砕棒１５が多角形の頂点を超えることから、破砕棒１５の経路がＷ字状になる。これに対し、攪拌羽根３０の根元が多角形の頂点に位置する場合、図３Ｂに示すように、軸部材２０に沿って移動する際に破砕棒１５が多角形の辺に沿って真っ直ぐ移動することから、破砕棒１５の経路が略Ｖ字状になる。
【００４８】
攪拌羽根３０の根元が多角形の辺に位置する場合、破砕棒１５が多角形の頂点の周辺を移動する際に、破砕棒１５が挟まって動けない状態になるおそれがある。また、破砕棒１５が多角形の頂点に衝突し、外板２３または破砕棒１５が傷付くおそれもある。これらを防止する観点から、攪拌羽根３０の根元は、軸部材２０の横断面形状の多角形のうちで頂点に位置するのが好ましい。また、運転に伴って攪拌羽根３０に負荷が付与された際、攪拌羽根３０の根元が多角形の頂点に位置する場合は、攪拌羽根３０の根元が多角形の辺に位置する場合よりも、軸部材２０に発生するたわみおよび変形を小さくできる。
【００４９】
攪拌羽根３０は、板状とすることができる。この場合、軸部材２０の回転に伴って被処理材を中心軸１２ｄに沿って移送するため、攪拌羽根３０の両側の表面３０ａおよび３０ｂは、中心軸１２ｄに対して平行でなく、角度を有する。
【００５０】
板状の攪拌羽根３０を採用する場合、被処理材に押し付けられる側の表面３０ａにフッ素樹脂製の外板３２を配置するのが好ましく、攪拌羽根３０の両側の表面３０ａおよび３０ｂにフッ素樹脂製の外板３２を配置するのがより好ましい（図２Ｃ参照）。これにより、板状の攪拌羽根３０（本体３１）の一方または両方の表面がフッ素樹脂製の外板３２で覆われることから、被処理材の回収率をさらに向上できる。ここで、被処理材に押し付けられる側の表面３０ａとは、攪拌羽根３０の両側の表面３０ａおよび３０ｂのうちで、乾燥処理時に軸部材２０の相対回転に伴って被処理材に押し付けられる側の表面３０ａを意味する。換言すると、攪拌羽根３０の両側の表面３０ａおよび３０ｂのうちで、乾燥処理時に回転方向の前側に位置する表面を意味する。
【００５１】
攪拌羽根３０を板状とする場合、両側の表面３０ａおよび３０ｂについて、フッ素樹脂製の外板３２を配置すれば、被処理材の付着を防止できる。しかしながら、幅方向の端面３０ｃ（図２Ｃ参照）に被処理材が付着し、破砕棒によって押し固められるおそれがある。これを防止するため、攪拌羽根を箱形とするのが好ましい。
【００５２】
図４Ａ〜図４Ｃは、箱形の攪拌羽根を備える真空乾燥機の構成例を示す模式図である。そのうちの図４Ａは縦断面図、図４Ｂは攪拌羽根の拡大図、図４Ｃは攪拌羽根の断面図である。図４Ｂは、図４ＡのＢ部の攪拌羽根のみを拡大して示し、図４Ｃは、真空容器の径方向と垂直な平面における断面図である。
【００５３】
図４Ａ〜図４Ｃに示す攪拌羽根４０は、本体４１と、外板４２とを備える。その攪拌羽根４０（本体４１）は、箱形である。すなわち、攪拌羽根４０（本体４１）の内部は、図４Ｃに示すように空洞である。このような攪拌羽根４０は、例えば、複数の鋼板を溶接することによって作製できる。攪拌羽根４０は、真空容器の径方向に沿って伸び、その根元が軸部材２０に固定される。
【００５４】
ここで、図２Ａ〜図２Ｃに示すような板状の攪拌羽根３０を採用する場合、攪拌羽根３０の剛性を確保するため、リブ等を設けて補強する必要がある。これに対し、図４Ａ〜図４Ｃに示すような箱形の攪拌羽根４０を採用すれば、剛性を向上できるので、リブ等が不要となる。このため、箱形の攪拌羽根４０を採用するのが好ましい。
【００５５】
加えて、箱形の攪拌羽根４０を採用すれば、攪拌羽根の全部の側面４０ａ〜４０ｄにフッ素樹脂製の外板４２を配置できる。これにより、攪拌羽根の側面４０ａ〜４０ｄに被処理材が付着するのを防止できるので、破砕棒によって被処理材が押し固められるのも防止できる。
【００５６】
箱形の攪拌羽根４０を採用する場合、真空容器の径方向と垂直な断面における形状を多角形とすればよい。このような攪拌羽根４０が有する複数の側面４０ａ〜４０ｄのうちの少なくとも２つの側面（４０ｃ、４０ｄ）は、中心軸１２ｄに対して角度を有する。これにより、軸部材２０の回転に伴って被処理材を中心軸１２ｄに沿って移送できる。
【００５７】
攪拌羽根４０の残りの側面（４０ａ、４０ｂ）が中心軸１２ｄと平行であると、残りの側面（４０ａ、４０ｂ）の全体が破砕棒と直接接触することから、破砕棒によって被処理材の付着、および、粗大粒の発生を低減できる効果が増大する。このため、残りの側面（４０ａ、４０ｂ）は、中心軸１２ｄと平行であるのが好ましい。
【００５８】
製造コストを低減する観点や剛性を効率よく確保する観点から、箱形の攪拌羽根４０では、真空容器の径方向と垂直な断面における形状が、図４Ｃに示すような平行四辺形状（ひし形状を含む）であるのが好ましい。この場合、平行四辺形が有する２組の対辺のうち、一方の対辺が、中心軸１２ｄに対して角度を有し、他方の対辺を中心軸と平行にすればよい。これにより、一方の対辺をそれぞれ含む一対の側面（４０ｃ、４０ｄ）が中心軸１２ｄに対して角度を有することから、軸部材２０の回転に伴って被処理材を中心軸１２ｄに沿って移送できる。また、他方の対辺をそれぞれ含む一対の側面（４０ａ、４０ｂ）が中心軸１２ｄと平行となるので、破砕棒によって被処理材の付着、および、粗大粒の発生を低減できる効果が増大する。
【００５９】
攪拌羽根がフッ素樹脂製の外板を備える場合、保守作業に要するコストを低減する観点から、フッ素樹脂製の外板が着脱可能に攪拌羽根に取り付けられるのが好ましい。外板を着脱可能に攪拌羽根に取り付ける場合、例えば、外板を攪拌羽根にねじ止めすればよい。
【００６０】
軸部材２０について、主部の外面２１ａの横断面形状は、正四角形に限らず、様々な多角形とすることができる。例えば正四角形以外の四角形（菱形等）としてもよく、三角形、五角形または六角形等としてもよい。軸部材２０の製造コストを低減する観点から、軸部材２０の横断面形状は、正四角形とするのが好ましい。また、軸部材２０の横断面形状を正四角形とし、その正四角形の各頂点に攪拌羽根３０の根元を位置させれば、軸部材２０の製造コストの低減と、攪拌羽根による攪拌効果の向上を両立できる。
【００６１】
軸部材の主部２１は、横断面形状が多角形である外面を有するが、軸部材の端部２２は、従来の軸部材と同様に、横断面形状を円形としてもよい。このような軸部材２０の作製では、例えば、複数の鋼板を溶接することにより、外面の横断面形状が多角形である主部２１を作製した後、その主部２１の長手方向の一端に鋼管を接合すればよい。
【００６２】
フッ素樹脂は、例えば、ポリテトラフルオロエチレン（ＰＴＦＥ）またはテトラフルオロエチレン・パーフルオロアルキルビニルエーテル共重合体（ＰＦＡ）とすることができる。
【産業上の利用可能性】
【００６３】
本考案の真空乾燥機によれば、製造コストの増大を抑制しながら、軸部材のうちで長手方向に隣り合う攪拌羽根の間の部分に被処理材が付着するのを低減できる。このため、医薬品、化学工業薬品、樹脂または食品等の製造過程で被処理材を乾燥させる際に、有効に利用できる。
【符号の説明】
【００６４】
１０：真空乾燥機、  １１：フレーム、  １２：真空容器、  １２ａ：投入口、
１２ｂ：排出口、  １２ｃ：吸引口、  １２ｄ：中心軸、  １２ｅ：周壁部、
１２ｆ：端壁部、  １３：横断面形状が円形の軸部材、  １４：イカリ状の攪拌羽根、
１４ａ：羽根部、  １４ｂ：柄部、  １５：破砕棒、  ２０：軸部材、
２１：主部、  ２１ａ：外面、  ２２：端部、  ２３：フッ素樹脂製の外板、
３０：板状の攪拌羽根、  ３０ａ：被処理材に押し付けられる側の表面、
３０ｂ：反対側の表面、  ３１：本体、  ３２：フッ素樹脂製の外板、
４０：箱形の攪拌羽根、  ４０ａ、４０ｂ：中心軸に対して平行な側面、
４０ｃ、４０ｄ：中心軸に対して角度を有する側面、  ４１：本体、
４２：フッ素樹脂製の外板
【図１Ａ】
0003205349.tif 000003
【図１Ｂ】
0003205349.tif 000004
【図２Ａ】
0003205349.tif 000005
【図２Ｂ】
0003205349.tif 000006
【図２Ｃ】
0003205349.tif 000007
【図３Ａ】
0003205349.tif 000008
【図３Ｂ】
0003205349.tif 000009
【図４Ａ】
0003205349.tif 000010
【図４Ｂ】
0003205349.tif 000011
【図４Ｃ】
0003205349.tif 000012